(57)【要約】【課題】  本考案は、回路基板に実装された発熱部品の放熱性に優れ、電磁波ノイズの遮蔽に優れたシールド構造を備えたデジタル放送受信装置を提供する。【解決手段】  グランドと電気的結合したシールドケース３０で覆われたデジタル回路基板１２上に発熱部品であるデジタル回路制御用マイコン２０を実装し、このマイコン２０の表面に装着された放熱部材４０と当接し前記シールドケース３０の内側とも当接する板バネ４１を設けて前記マイコン２０の熱を放熱部材４０から板バネ４１を介してシールドケース３０に放熱し、前記基板１２に実装された前記マイコン２０を該基板１２の裏面から覆うシールド板４３を設け、該シールド板４３と前記シールドケース３０とに当接する導電性クッション４２を設けて前記マイコン２０から輻射される電磁波ノイズを遮蔽し、且つ、グランドに逃がした。【選択図】      図８
0003113691.tif 000002
【実用新案登録請求の範囲】
【請求項１】
少なくとも回路基板上に形成されたデジタル回路ブロックを包み込みグランドと電気的結合されたシールドケースを備えたデジタル放送受信装置であって、前記デジタル回路ブロックに実装されたデジタル回路制御部の表面に熱的結合された金属製の放熱部材と当接すると共に、前記シールドケースの内側とも当接する放熱片を、前記放熱部材と前記シールドケースとの間に設けたことを特徴とするシールド構造を備えたデジタル放送受信装置。
【請求項２】
前記回路基板に実装されたデジタル回路制御部を覆うシールド板を前記回路基板の裏面に配置し、このシールド板を前記回路基板に形成されたグランドパターンに接続すると共に、前記シールドケースの内側とも当接するシールド片を、前記シールド板と前記シールドケースとの間に設けたことを特徴とする請求項１記載のシールド構造を備えたデジタル放送受信装置。
【請求項３】
前記シールドケースの内面側に取付片を形成し、この取付片を前記回路基板のグランドパターンに電気的に接続するとともに、該取付片と前記放熱部材とを直接又は導電性部材を介して間接的に接触させたことを特徴とする請求項１記載のデジタル放送受信装置。
【請求項４】
前記回路基板に外部機器と接続する接続端子を実装し、前記シールドケースには前記接続端子を外部に導出する部品挿通孔を設けるとともに前記回路基板のグランドパターンには前記取付片の貫通孔を設け、この貫通孔の向きと前記部品挿通孔に対する前記接続端子の挿入方向と一致させたことを特徴とする請求項３記載のデジタル放送受信装置。
【請求項５】
前記回路基板は、この回路基板に実装されたデジタル回路制御部の実装面側に課金放送の受信を可能とするカードを装着するカード装着部を設け、該カード装着部近傍のシールドケースに冷却用ファンを設けたことを特徴とする１〜３の何れか1項に記載のシールド構造を備えたデジタル放送受信装置。
【請求項６】
前記放熱片、及び前記シールド片は、導電性と熱伝導性とを有し弾性を有する合成樹脂製部材、またはゴム製部材又は金属製の板バネであることを特徴とする請求項１〜３の何れか1項に記載のシールド構造を備えたデジタル放送受信装置。
【請求項７】
前記シールド板の外周は、その縁端を回路基板側に折り曲げたことを特徴とする請求項２〜６の何れか１項に記載のシールド構造を備えたデジタル放送受信装置。
【考案の詳細な説明】
【技術分野】
【０００１】
本考案は、回路基板に実装された発熱部品の放熱性に優れ、電磁波ノイズの遮蔽に優れたシールド構造を備えたデジタル放送受信装置に関する。
【背景技術】
【０００２】
従来から、デジタルテレビなどのデジタル放送受信装置に備えられるデジタル基板は、そこに実装されるデジタル回路制御用マイコンなどのデジタル制御部や、課金放送を受信するためのカードを装着するカードスロットと呼ばれるカード装着部が発熱することが知られていた。また、このデジタル基板が電気的に接続されると前記デジタル制御部やカード装着部等は高周波の電磁波ノイズを輻射する性質があるため、例えば、電源部や映像音声信号生成部、水平／垂直偏向部等を形成配置するメイン基板や、入出力制御部などを形成配置するＡＶ（Ａｕｄｉｏ  ａｎｄ  Ｖｉｓｕａｌ）基板など、アナログ回路を構成するこれらの回路基板、及び、電磁波ノイズを輻射する前記電子部品と近接して実装される種々の電子部品などと相互に干渉することが多々起こり得ることから、これらの電子部品を実装したデジタル基板を包み込むように金属製のシールドケースで覆いノイズを遮蔽する方法が行われていた。
【０００３】
しかし、シールドケースで包み込むことにより前記デジタル制御部やカード装着部など発熱部品からの熱がシールドケース内に篭ることによって高温になり、これら発熱部品やその近傍に実装される他の電子部品が誤動作をしてしまう、または故障してしまう虞があることから、熱を放熱するために前記発熱部品にはヒートシンクと呼ばれる複数の放熱フィンを有する放熱部材を装着して放熱させる。或いは、熱をシールドケースの外部に放熱するために、このシールドケースに通気孔を形成するなどにより、前記発熱部品から発生する熱や電磁波ノイズの不要輻射対策を行っている。
【０００４】
このような背景技術に関連するものとして、例えば特許文献１の「半導体素子のシールド装置」には、発熱部品となる半導体素子の表面に複数の放熱フィンを有する放熱部材を装着し、前記複数の放熱フィンを貫通する露出孔を形成した概ね箱型のシールド部材を上方から被せることにより、シールドケースの外部に露出した放熱フィンから放熱する方法が開示されている。
【０００５】
【特許文献１】特開平８−２７９６８９号公報
【考案の開示】
【考案が解決しようとする課題】
【０００６】
しかし、前述の従来技術は、回路基板の更なる高密度実装化や電子部品を構成する半導体チップの小型化、微細化、省電力化が進む状況において、半導体チップそのものの電磁耐性は低下する傾向にあり、これらの電磁波ノイズ対策や、放熱対策も充分とは言えないといった課題を有している。
【０００７】
また、前述の特許文献１によれば、シールドケースに複数の露出孔を設けることにより、回路基板に実装される半導体素子とシールドケースに開口した露出孔とは所定の位置精度を確保する必要があり、また、回路基板上に配置される半導体素子の位置を設計変更しようとする際は、シールドケースを形成するプレス金型も改造や作り替えが必要となるといった問題があった。
【０００８】
そこで本考案は、前記課題に鑑みてなされたものであり、電磁波ノイズ対策と放熱対策をさらに向上させ、また、回路基板に設計変更の必要を生じても容易に対応することを可能とするシールド構造を備えたデジタル放送受信装置を提供することを目的とする。
【課題を解決するための手段】
【０００９】
請求項１のシールド構造を備えたデジタル放送受信装置は、少なくとも回路基板上に形成されたデジタル回路ブロックを包み込みグランドと電気的結合されたシールドケースを備えたデジタル放送受信装置であって、前記デジタル回路ブロックに実装されたデジタル回路制御部の表面に熱的結合された金属製の放熱部材と当接すると共に、前記シールドケースの内側とも当接する放熱片を、前記放熱部材と前記シールドケースとの間に設けたことを特徴とする。
【００１０】
請求項１の構成によれば、回路基板上に形成され、少なくともシールドケースに包み込まれたデジタル回路ブロックから輻射する電磁波ノイズは、グランドと電気的結合されたシールドケースによって遮蔽される。また、デジタル回路ブロックに実装されたデジタル回路制御部の表面に熱的結合された金属製の放熱部材と当接すると共に、前記シールドケースの内側とも当接する放熱片を、前記放熱部材と前記シールドケースとの間に設けたことにより、デジタル回路制御部の発熱はその表面に熱的結合された放熱部材と、放熱部材とシールドケースに当接する放熱片を介してシールドケースに伝導され、このシールドケース表面から外部に放熱することが出来る。
【００１１】
請求項２のシールド構造を備えたデジタル放送受信装置は、請求項１記載のシールド構造を備えたデジタル放送受信装置において、前記回路基板に実装されたデジタル回路制御部を覆うシールド板を前記回路基板の裏面に配置し、このシールド板を前記回路基板に形成されたグランドパターンに接続すると共に、前記シールドケースの内側とも当接するシールド片を、前記シールド板と前記シールドケースとの間に設けたことを特徴とする。
【００１２】
請求項２の構成によれば、デジタル回路制御部から輻射する電磁波ノイズをシールド板とによって遮蔽し、且つ、そのシールド板は、回路基板のグランドパターンと電気的結合され、デジタル回路制御部から輻射する電磁波ノイズが回路基板のグランドパターンへと流れ、さらに、シールド板と当接するシールド片によってシールドケースからグランドへと効果的に逃がすことが可能となる。
【００１３】
請求項３のシールド構造を備えたデジタル放送受信装置は、請求項１記載のシールド構造を備えたデジタル放送受信装置において、前記シールドケースの内面側に取付片を形成し、この取付片を前記回路基板のグランドパターンに電気的に接続するとともに、該取付片と前記放熱部材とを直接又は導電性部材を介して間接的に接触させたことを特徴とする。
【００１４】
請求項３の構成によれば、デジタル回路制御部から輻射する電磁波ノイズをシールドケースによって遮蔽するとともに、デジタル回路制御部から輻射する電磁波ノイズが回路基板のグランドパターンと電気的結合された取付片によって回路基板のグランドパターンへと逃がし、さらに、その電磁波ノイズは取付片を経由してシールドケースからグランドへと効果的に逃がすことが可能となる。
【００１５】
請求項４のシールド構造を備えたデジタル放送受信装置は、請求項３記載のシールド構造を備えたデジタル放送受信装置において、前記回路基板に外部機器と接続する接続端子を実装し、前記シールドケースには前記接続端子を外部に導出する部品挿通孔を設けるとともに前記回路基板のグランドパターンには前記取付片の貫通孔を設け、この貫通孔の向きと前記部品挿通孔に対する前記接続端子の挿入方向と一致させたことを特徴とする。
【００１６】
請求項４の構成によれば、回路基板をシールドケースに組み込む際、シールドケースに一体形成する取付片を回路基板のグランドパターンに貫通させながら回路基板に実装する接続端子をシールドケースの挿通孔に通して円滑に外部に導出することが可能となる。
【００１７】
請求項５のシールド構造を備えたデジタル放送受信装置は、請求項１または２記載のシールド構造を備えたデジタル放送受信装置において、前記回路基板は、この回路基板に実装されたデジタル回路制御部の実装面側に課金放送の受信を可能とするカードを装着するカード装着部を設け、該カード装着部近傍のシールドケースに冷却用ファンを設けたことを特徴とする。
【００１８】
請求項５の構成によれば、前記回路基板は、この回路基板に実装されたデジタル回路制御部の実装面側に課金放送の受信を可能とするカードを装着するカード装着部を設け、該カード装着部近傍のシールドケースに冷却用ファンを設けたことにより、前記冷却用ファンで発生する冷却風によってカード装着部とデジタル回路制御部との両方を冷却することが出来る。
【００１９】
請求項６のシールド構造を備えたデジタル放送受信装置は、請求項１〜３の何れか1項に記載のシールド構造を備えたデジタル放送受信装置において、前記放熱片、及び前記シールド片は、金属製の板バネであることを特徴とする。
【００２０】
請求項６の構成によれば、前記放熱片、及び前記シールド片は、導電性と熱伝導性とを有し弾性を有する合成樹脂製部材、またはゴム製部材又は金属製の板バネであることにより、弾性による押圧を付勢すると共に熱伝導性を有す放熱片は、放熱部材とシールドケースとに当接してデジタル回路制御部で発する熱を確実にシールドケースに伝導することが出来る。また、押圧を付勢すると共に導電性を有すシールド片は、シールド板と、グランドと電気的結合されたシールドケースとを電気的に確実に接続することが出来る。
【００２１】
請求項７のシールド構造を備えたデジタル放送受信装置は、請求項２〜６の何れか１項に記載のシールド構造を備えたデジタル放送受信装置において、前記シールド板の外周は、その縁端を回路基板側に折り曲げたことを特徴とする。
【００２２】
請求項７の構成によれば、前記シールド板の外周は、その縁端を回路基板側に折り曲げたことにより、シールド板の外周にはシャープエッジが形成されず、シャープエッジから電磁波ノイズが輻射されることを防止することが出来る。また、シールド板の外周は、その縁端を折り曲げただけなので、シールド板と回路基板との隙間は充分確保することが出来る。
【考案の効果】
【００２３】
請求項１の考案によれば、このシールド構造を備えたデジタル放送受信装置は、回路基板上に形成され、少なくともシールドケースに包み込まれたデジタル回路ブロックから輻射する電磁波ノイズは、グランドと電気的結合されたシールドケースによって効果的に遮蔽されるので、１枚の回路基板上にデジタル回路ブロックとアナログ回路ブロックが形成配置される。或いは、デジタル基板に近接してメイン基板やＡＶ基板などのアナログ基板が形成配置されることにより、デジタル回路ブロックに実装され電磁波ノイズを輻射する電子部品と近接して実装される種々の電子部品や、前記アナログ回路ブロックやアナログ基板などと相互に干渉することを防止することが出来る。また、デジタル回路ブロックに実装されたデジタル回路制御部の表面に熱的結合された放熱部材と当接すると共に、前記シールドケースの内側とも当接する放熱片を、前記放熱部材と前記シールドケースとの間に設けたことにより、デジタル回路制御部の発熱はその表面に熱的結合された放熱部材と、放熱部材とシールドケースに当接する放熱片を介してシールドケースに伝導され、このシールドケースから外部に放熱することができるので、シールドケース内に熱が篭ることによってデジタル回路制御部、及び他のデジタル回路を構成する電子部品が過熱して誤動作する、或いは故障してしまうことを未然に防止することが出来る。更に、前記放熱片は前記放熱部材とシールドケースとの間に設けたものであり、デジタル基板上に配置されるデジタル回路制御部などの位置を設計変更することが必要となった際も、放熱片の取り付け位置を変更するだけで良く、シールドケースを形成するプレス金型の改造や作り替えが必要となることはない。
【００２４】
請求項２の考案によれば、前記回路基板は、この回路基板に実装されたデジタル回路制御部を該基板の裏面から覆うようにシールド板を配置し、このシールド板を前記回路基板に形成されたグランドパターンに接続すると共に、前記シールドケースの内側とも当接するシールド片を、前記シールド板と前記シールドケースとの間に設けたことにより、デジタル回路制御部から輻射する電磁波ノイズを、シールド片によって回路基板に形成されたグランドパターンに逃がすとともに、シールドケースのグランドと電気的結合されたシールド板により効果的に一次遮蔽すると共に、グランドと電気的結合されたシールドケースにより二次遮蔽し、且つ、グランドに逃すことが出来る。従って、このデジタル回路制御部はシールドケース内において、その表面から効果的に放熱して冷却し、その裏面から効果的に電磁波ノイズをシールドすることが出来る。更に、前記シールド片は前記シールド板とシールドケースとの間に設けたものであり、回路基板上に配置されるデジタル回路制御部などの位置を設計変更することが必要となった際も、シールド片の取り付け位置を変更するだけで良く、シールドケースを形成するプレス金型の改造や作り替えが必要となることはない。
【００２５】
請求項３の考案によれば、前記シールドケースの内面側に取付片を形成し、この取付片を前記回路基板のグランドパターンに電気的に接続するとともに、該取付片と前記放熱部材とを直接又は導電性部材を介在して間接的に接触させたことにより、デジタル回路制御部から輻射する電磁波ノイズをシールドケースによって遮蔽するとともに、デジタル回路制御部から輻射する電磁波ノイズが回路基板のグランドパターンと電気的結合された取付片によって回路基板のグランドパターンへと逃がし、さらに、その電磁波ノイズは取付片を経由してシールドケースからグランドへと効果的に逃がすことが可能となる。また、組み付け部品点数を削減することが可能となり、部品点数の削減により製造工程及び組み付け作業を簡略化でき、生産性にも優れる。
【００２６】
請求項４の考案によれば、前記回路基板に外部機器と接続する接続端子を実装し、前記シールドケースには前記接続端子を外部に導出する部品挿通孔を設けるとともに前記回路基板のグランドパターンには前記取付片の貫通孔を設け、この貫通孔の向きと前記部品挿通孔に対する前記接続端子の挿入方向と一致させたことにより、シールドケースに回路基板を組み付ける際、シールドケースに形成する部品挿通孔に回路基板に実装する接続端子に挿入しながら、貫通孔にシールドケースに形成する取付片をスムーズに挿入することができるため、組み付け作業性に優れる。
【００２７】
請求項５の考案によれば、前記回路基板は、この回路基板に実装されたデジタル回路制御部の実装面側に課金放送の受信を可能とするカードを装着するカード装着部を設け、該カード装着部近傍のシールドケースに冷却用ファンを設けたことにより、前記冷却用ファンで発生する冷却風によってカード装着部とデジタル回路制御部との両方を冷却することが出来るので、前記デジタル回路制御部の冷却効率を大きく改善することが出来る。
【００２８】
請求項６の考案によれば、前記放熱片、及び前記シールド片は、導電性と熱伝導性とを有し弾性を有する合成樹脂製部材、またはゴム製部材又は金属製の板バネであることにより、押圧を付勢すると共に熱伝導性を有す放熱片は、前記放熱部材とシールドケースとに当接してデジタル回路制御部で発する熱を確実にシールドケースに伝導し、シールドケースの表面から放熱することが出来る。また、押圧を付勢すると共に導電性を有すシールド片は、グランドと電気的結合されたシールドケースとシールド板とを電気的に確実に接続することが出来るので、前記デジタル回路制御部から輻射する電磁波ノイズを前記シールド板とシールドケースによって効果的に遮蔽し、グランドに逃すことが出来る。更に、前記放熱部材は金属製であることにより、前記デジタル回路制御部から輻射される電磁波ノイズは、前記放熱片によってグランドと電気的結合されたシールドケースと放熱部材によって効果的に遮蔽し、グランドに逃すことが出来るので、この放熱片は電磁波ノイズの低減にも効果を奏する。
【００２９】
請求項７の考案によれば、前記シールド板の外周は、その縁端を回路基板側に折り曲げたことにより、シールド板の外周にはシャープエッジが形成されず、シャープエッジから電磁波ノイズが輻射されることを防止することが出来る。また、シールド板の外周は、その縁端を折り曲げただけなので、シールド板と回路基板との隙間は充分確保され、シールド板と回路基板との間にデジタル回路制御部から発する熱が篭ることを防止することが出来る。
【考案を実施するための最良の形態】
【００３０】
以上のように、本考案は、電磁波ノイズ対策と放熱対策をさらに向上させ、且つ、回路基板に設計変更の必要を生じても容易に対応することを可能とするシールド構造を備えたデジタル放送受信装置に関するものであるが、以下の実施例の説明においては、実施例１はアナログ回路を構成するＡＶ基板とデジタル回路を構成するデジタル基板とを夫々別体として形成する実施例について示し、実施例２は１枚の回路基板上にＡＶ回路とデジタル回路を形成する実施例について示している。これらの実施例についての詳細を以下に説明する。
【００３１】
以下、本考案を実施するための最良の形態としての実施例を図１〜図１０により以下に説明する。もちろん、本考案は、その考案の趣旨に反さない範囲で、実施例において説明した以外のものに対しても容易に適用可能なことは説明を要するまでもない。
【実施例１】
【００３２】
本実施例において、図１は本考案の第１実施例におけるデジタルテレビを示す斜視図、図２はデジタルテレビのフロントキャビネットとバックキャビネットの一部を切り欠いた状態のデジタルテレビを示す平面図、図３はデジタルテレビに備えられるシールドケースの上蓋を示す斜視図、図４はシールドケースの上蓋を示す断面図、図５はデジタルテレビに備えられるシールドケースの下蓋を示す斜視図、図６は下蓋にデジタル回路制御用マイコンとカードスロットを実装したデジタル基板を配置した状態を示す説明図、図７は電子部品を実装したデジタル基板の裏面にシールド板とシールド片を取り付けた状態を示す説明図、図８は放熱部材部分の断面図、図９は上蓋と、下蓋からなるシールドケースとデジタル基板を示す分解斜視図、図１０はデジタル回路制御用マイコンとカードスロットを実装したデジタル基板を収容したシールドケースを示す斜視図である。
【００３３】
図１に示す斜視図により、本考案の実施例１におけるデジタル放送受信装置たるデジタルテレビについて説明する。図１に示すように、デジタルテレビ１は、フロントキャビネット２ａとバックキャビネット２ｂを前後に組み合わせて外形がほぼ箱型形状の合成樹脂製キャビネット２で構成され、フロントキャビネット２ａの正面中央には、映像を表示する表示部３を有している。
【００３４】
続いて図２により、デジタルテレビ１の内部の概要について説明する。キャビネット２の内部には、該デジタルテレビ１の各部に電源を供給する電源部や表示可能な映像音声信号を生成する映像音声信号生成部、及び水平／垂直偏向部などを形成配置する図示しないメイン基板。及び、他の電子機器と接続する接続端子たるジャック部２１から入力されたアナログ映像音声信号とデジタル映像音声信号から所定の映像音声信号を選択すると共に、これら信号の入出力を制御する図示しないＡＶ基板を水平に配置し、このＡＶ基板と、図示しないアンテナで受信したデジタル受信映像音声信号の中から所定の番組の映像音声信号の１つを選択する接続端子たるデジタルチューナ２２や、後述する種々の部品が実装されたデジタル回路基板１２が、グランドと電気的結合され電磁波ノイズを遮断する薄型で箱型のシールドケース３０により包み込むように覆われて水平に２層配置されている。
【００３５】
このシールドケース３０は、図３、図５、図９、図１０に示すように上蓋３０ａと下蓋３０ｂとに分割可能に形成されており、上蓋３０ａと下蓋３０ｂに形成された孔部３３にネジを螺合して固定される。このシールドケース３０は、前記デジタル回路基板１２を下蓋３０ｂに形成された基板載置部３６で載置して、上蓋３０ａでデジタル回路基板１２を覆うことにより包み込むように構成している。前記下蓋３０ｂの側壁３２には前記デジタル回路基板１２に配置される電子部品を挿通可能に部品挿通孔３８が配置されている。また、上下蓋３０ａ、３０ｂには前記デジタル回路基板１２に配置される電子部品から発する熱を放熱するための複数の通気小孔３１ａが形成されている。
【００３６】
また、図３、図８に示すように、この上蓋３０ａには上蓋３０ａの平面部３１の一部を切り起こして側壁３２に延設するＬ字状の突起片３４が複数形成されており、この突起片３４上に前記ＡＶ基板１１が載置され、取付孔３５にネジを螺合して固定される。この上蓋３０ａの平面部３１にはその内側に、後述するカードスロット２３を冷却するための冷却用ファン４４が取りつれられ、その冷却風を通す通気孔３１ｂが略放射状に形成配置されている。また、後述するデジタル回路制御用マイコン２０に装着される放熱部材４０と当接するように板バネ４１が図４の断面図に示す上蓋３０ａの内側に取り付けられている。
【００３７】
このデジタル回路基板１２に配置される種々の電子部品について図６及び図９により説明する。このデジタル回路基板１２は、シールドケース３０の外形とほぼ同じ大きさを有し、デジタル放送を受信可能な放送受信回路を構成するもので、前述のデジタルチューナ２２を配置するデジタル放送受信部の他に、課金放送の受信する際に課金放送のユーザーカードを挿入することでデジタル放送を受信可能とするカード装着部たるカードスロット２３や、デジタル回路の制御を行なうデジタル回路制御部たるデジタル回路制御用マイコン２０などが配置されており、デジタルテレビ1の電源がオン状態にあるときは、これらのデジタル回路制御用マイコン２０、ジャック部２１、カードスロット２３からは高周波の電磁波ノイズを輻射するため、デジタル回路基板１２と隣接して配置され、信号周波数の異なる前述のＡＶ基板１１に配置され電磁波ノイズの影響を受け易い電子部品や、デジタルテレビ1と隣接配置される他の電子機器などに電磁波ノイズの影響を与える恐れがあることから、本実施例においては、それらを防止するために、グランドと電気的結合され、電磁波ノイズなどの輻射を遮断する薄型で箱型のシールドケース３０内に前記デジタル回路基板１２を包み込むように収容することでデジタル回路制御用マイコン２０、ジャック部２１、カードスロット２３からの電磁波ノイズの不要輻射を遮蔽し、グランドに逃すことが出来る。
【００３８】
しかし、前記デジタル回路制御用マイコン２０から輻射される電磁波ノイズは、このマイコン２０を実装したデジタル回路基板１２に実装された他の電子部品に対して影響を及ぼしてしまうことから、前記シールドケース３０内においてもマイコン２０からの電磁波ノイズの不要輻射を防止するために、図８に示すデジタル回路制御用マイコン２０が実装された前記デジタル回路基板１２には、前記デジタル回路制御用マイコン２０をデジタル回路基板１２の裏面側から覆うシールド板４３が設けられている。このシールド板４３は図７に示すように、矩形状の平面部４３ａの外周端をデジタル回路基板１２側に向けて折曲した折り曲げ部４３ｂと、前記平面部４３ａの各辺に位置して前記折り曲げ部４３ｂから一体的に垂設した４本の脚部４３ｃ、４３ｄを備え、対向する２辺の脚部４３ｃをデジタル回路基板１２の裏面に当接し、残った２辺の脚部４３ｄをデジタル回路基板１２に形成する貫通孔１２ｃから貫通させている。この貫通孔１２ｃは図８に示すように前記デジタル回路制御用マイコン２０のグランドパターン１２ｂに形成されるとともに、前記放熱部材４０には、そのフィン４０ａの間に位置して導電性部材たる固定片４０ｂが固着され、その固定片４０ｂと前記シールド板４３の脚部４３ｄを重ね合わせて前記貫通孔１２ｃに貫通させてグランドパターン１２ｂに半田付けしている。なお、本実施例においては、デジタル回路基板１２に接続端子たるジャック部２１、デジタルチューナ２２が実装され、シールドケース３０の下蓋３０ｂにはジャック部２１、デジタルチューナ２２を挿通する部品挿通孔３８が形成おり、その部品挿通孔３８にジャック部２１、デジタルチューナ２２を挿通しながら下蓋３０ｂにデジタル回路基板１２を組み付けるものであり、その部品挿通孔３８へのジャック部２１、デジタルチューナ２２の挿通方向Ｘ１と、放熱部材４０に形成するフィン４０ａの方向が一致しており、そのフィン４０ａの間に固着された固定片４０ｂと前記シールド板４３の脚部４３ｄを挿入する貫通孔１２ｃの向きＸ２はジャック部２１、デジタルチューナ２２の挿通方向Ｘ１に対して直交している。そして、シールドケース３０の下蓋３０ｂにデジタル回路基板１２を組み付ける前に予めデジタル回路基板１２に形成する貫通孔１２ｃにシールド板４３の脚部４３ｄと放熱部材４０に固着した固定片４０ｂとを挿入し、これら脚部４３ｄと固定片４０ｂとをデジタル回路制御用マイコン２０のグランドパターン１２ｂに半田付けしてデジタル回路基板１２にシールド板４３と放熱部材４０とを固定した後、デジタル回路基板１２をシールドケース３０の下蓋３０ｂに組み付け、さらに下蓋３０ｂに上蓋３０ａを組み付けることによって、デジタル回路基板１２をシールドケース３０で覆う。これにより、デジタル回路基板１２に放熱部材４０とシールド板４３とが前記デジタル回路制御用マイコン２０の表裏を覆うようにして取り付けら、マイコン２０から輻射される電磁波ノイズをシールド板４３と放熱部材４０とで遮蔽すると共に、遮蔽した電磁波ノイズをデジタル回路制御用マイコン２０のグランドパターン１２ｂに逃がすとともに、シールド板４３外周の縁端のエッジから輻射されることを防止するようにしている。更に、シールド板４３の平面部４３ａには導電性と熱伝導性を有すシールド片たる導電性クッション４２を取り付けて、前記グランドと電気的結合されたシールドケース３０の下蓋３０ｂとシールド板４３とを導電性クッション４２を介して電気的に結合可能としている。これにより、シールド板４３はグランドと電気的結合されたシールドケース３０と接続されることにより、導電性クッション４２を用いて電磁波ノイズの遮蔽性を向上させることが出来る。また、前述の導電性と熱伝導性を有し弾性を有するシールド片は、導電性クッション４２の他にシールドケース３０とシールド板４３とを電気的に接続可能な導電性を有するゴム製や金属性の板バネ等であっても良い。
【００３９】
また、前記デジタル回路制御用マイコン２０やカードスロット２３はデジタルテレビ1の電源がオン状態にあるときは発熱することにより、図９、図１０に示すようにシールドケース３０で包み込むことで前記マイコン２０やカードスロット２３など発熱部品２０、２３から発する熱がシールドケース３０内に篭り高温になってしまうことから、熱を放熱するために、前記マイコン２０にはヒートシンクと呼ばれる複数の放熱フィン４０ａを有する金属製の放熱部材４０を装着してシールドケース３０内に放熱させると共に、放熱部材４０とシールドケース３０に当接する放熱片たる前記金属製の板バネ４１によってシールドケース３０に熱を伝導し、シールドケース３０の表面から放熱する構成としている。また、前述の導電性と熱伝導性を有し弾性を有する放熱片は、金属製の板バネ４１の他にシールドケース３０と放熱部材４０とを熱的に接続可能な熱伝導性を有する導電ゴム製や導電性クッション４２等であっても良い。
【００４０】
また、このデジタル回路基板１２に実装されたデジタル回路制御用マイコン２０の実装面側に前記カードスロット２３を設け、該カードスロット近傍のシールドケース３０に冷却用ファン４４を設けてあり、前記冷却用ファン４４の冷却風によってカードスロット２３と前記マイコン２０を冷却することが出来る。
【００４１】
前記デジタル回路制御用マイコン２０に装着した放熱部材４０は金属製であり、マイコン２０の表面を覆うように装着されていることにより、このマイコン２０から輻射される電磁波ノイズは該放熱部材４０によっても遮蔽することが出来る。更にこの放熱部材４０は前述のように、金属製の板バネ４１によってグランドと電気的結合したシールドケース３０と電気的に接続されることにより、マイコン２０から輻射される電磁波ノイズはこの放熱部材４０とシールドケース３０によって効果的に遮蔽することが出来る。また、前述の導電性と熱伝導性を有し弾性を有する放熱片は、金属製の板バネ４１の他にシールドケース３０と放熱部材４０とを熱的に接続可能な熱伝導性を有する導電ゴム製や導電性クッション４２等であっても良い。
【００４２】
以上の実施例1により、このシールド構造を備えたデジタル放送受信装置たるデジタルテレビ１は、デジタル回路ブロックが形成されたデジタル回路基板１２上に形成され、少なくともシールドケース３０に包み込まれたに配置されたデジタル回路制御用マイコン２０やカードスロット２３、及びデジタルチューナ２２から輻射する電磁波ノイズは、グランドと電気的結合されたシールドケース３０によって効果的に遮蔽されるので、デジタル回路基板１２に近接して図示しないメイン基板やＡＶ基板１１などのアナログ基板が形成配置されることにより、デジタル回路ブロックに実装され電磁波ノイズを輻射する電子部品２０、２３、２２と近接して実装される種々の電子部品や、該アナログ基板１１などと相互に干渉することを防止することが出来る。
【００４３】
また、デジタル回路ブロックに実装されたデジタル回路制御部たる前記マイコン２０の表面に熱的結合された放熱部材４０と当接すると共に、前記シールドケース３０の内側とも当接する放熱片たる板バネ４１を、前記放熱部材４０と前記シールドケース３０との間に設けたことにより、前記マイコン２０の発熱はその表面に熱的結合された放熱部材４０と、放熱部材４０とシールドケース３０に当接する板バネ４１を介してシールドケース３０に伝導され、このシールドケース３０から外部に放熱することができるので、シールドケース３０内に熱が篭ることによって前記マイコン２０、及び他のデジタル回路を構成する電子部品などが過熱して誤動作する、或いは故障してしまうことを未然に防止することが出来る。更に、前記板バネ４１は前記放熱部材４０とシールドケース３０との間に設けたものであり、デジタル回路基板１２上に配置される前記マイコン２０などの位置を設計変更が必要となった際も、板バネ４１の取り付け位置を変更するだけで良く、シールドケース３０を形成するプレス金型の改造や作り替えが必要となることはない。
【００４４】
前記デジタル回路基板１２は、この基板１２に実装された前記デジタル回路制御用マイコン２０を該基板１２の裏面から覆うようにシールド板４３を配置し、このシールド板４３と当接すると共に、前記シールドケース３０の内側とも当接するシールド片たる導電性クッション４２を、前記シールド板４３と前記シールドケース３０との間に設けたことにより、前記マイコン２０から輻射する電磁波ノイズを、導電性クッション４２によってシールドケース３０のグランドと電気的結合されたシールド板４３により効果的に一次遮蔽すると共に、グランドと電気的結合されたシールドケース３０により二次遮蔽し、且つ、グランドに逃すことが出来る。さらに、シールド板４３の脚部４３ｄと放熱部材４０に固着した固定片４０ｂとをデジタル回路制御用マイコン２０のグランドパターン１２ｂに形成された貫通孔１２ｃに挿通し、これら脚部４３ｄと固定片４０ｂとをデジタル回路制御用マイコン２０のグランドパターン１２ｂに半田付けすることによって、マイコン２０から輻射する電磁波ノイズをグランドパターン１２ｂへも逃がすことができ、デジタル回路制御用マイコン２０から輻射する電磁波ノイズをより効果的に遮蔽することができるとともに、グランドパターン１２ｂにシールド板４３の脚部４３ｄと放熱部材４０に固着した固定片４０ｂとを半田付けすることによってデジタル回路基板１２にシールド板４３と放熱部材４０とを同時に固定できるのでこれらの固定作業も効率化することができる。従って、このマイコン２０はシールドケース３０内において、その表面から効果的に放熱して冷却し、その裏面から効果的に電磁波ノイズをシールドすることが出来る。更に、前記導電性クッション４２は前記シールド４３板とシールドケース３０との間に設けたものであり、デジタル回路基板１２上に配置されるマイコン２０などの位置を設計変更が必要となった際も、導電性クッション４２の取り付け位置を変更するだけで良く、シールドケース３０を形成するプレス金型の改造や作り替えが必要となることはない。
【００４５】
また、前記デジタル回路基板１２は、この基板１２に実装されたデジタル回路制御用マイコン２０の実装面側に課金放送の受信を可能とするカードを装着するカードスロット２３を設け、該カードスロット２３近傍のシールドケース３０に冷却用ファン４４を設けたことにより、前記冷却用ファン４４で発生する冷却風によってカードスロット２３とマイコン２０との両方を冷却することが出来るので、前記マイコン２０の冷却効率を大きく改善することが出来る。
【００４６】
また、前記放熱片は、金属製の板バネ４１であることにより、押圧を付勢すると共に熱伝導性を有す板バネ４１は、前記放熱部材４０とシールドケース３０とに当接してデジタル回路制御用マイコン２０で発する熱を確実にシールドケース３０に伝導し、シールドケース３０の表面から放熱することが出来る。また、前記放熱部材４０は金属製であることにより、前記マイコン２０から輻射される電磁波ノイズは、前記板バネ４１によってグランドと電気的結合されたシールドケース３０と放熱部材４０によって効果的に遮蔽することが出来るので、この板バネ４１は電磁波ノイズ低減にも効果を奏するものである。
【００４７】
前記シールド片は、導電性と熱伝導性とを有し弾性を有する導電性クッション４２であることにより、押圧を付勢可能とすると共に熱伝導性を有す導電性クッション４２は、グランドと電気的結合されたシールドケース３０とシールド板４３とを電気的に確実に接続することが出来るので、前記マイコン２０から輻射する電磁波ノイズを前記シールド板４３とシールドケース３０によって効果的に遮蔽することが出来る。
【００４８】
前記シールド板４３の外周は、その縁端をデジタル回路基板１２側に折り曲げたことにより、シールド板４３の外周にはシャープエッジが形成されず、シャープエッジから電磁波ノイズが輻射されることを防止することが出来る。また、シールド板４３の外周は、その縁端を折り曲げただけなので、シールド板４３とデジタル回路基板１２との隙間は充分確保され、シールド板４３とデジタル回路基板１２との間にマイコン２０から発する熱が篭ることを防止することが出来る。
【実施例２】
【００４９】
続いて、本考案における実施例２について説明する。なお、前記実施例１と同一部分には同一符号を示し、その詳細な説明は省略して詳述する。実施例２において、図１１はデジタルテレビ1に配置される同一回路基板上にデジタル回路ブロックとＡＶ回路ブロックを形成し、このデジタル回路ブロックを実施例１と同様にシールドケース３０により包み込むように覆った状態を示す斜視図である。
【００５０】
図１１に示す横長で１枚の回路基板１０は、図１１において、その長さ方向の概ね右半分にデジタル回路ブロック１２ａが形成され、グランドと電気的結合したシールドケース３０がこのデジタル回路ブロック１２ａを包み込むように覆っている。このデジタル回路ブロック１２ａには実施例1におけるデジタル回路基板１２と同様に、デジタル回路制御用マイコン２０やカードスロット２３、デジタルチューナ２２が配置されている。また、前記マイコン２０の表面は、図示しない放熱部材が装着され、この放熱部材と当接してマイコン２０から発する熱をシールドケース３０へと伝導させる板バネ４１が前記シールドケース３０の内側に設けられている。このマイコン２０が実装された回路基板１０の裏面側には、マイコン２０の裏面を覆うように図示しないシールド板が設けられ、シールドケース３０とシールド板とを電気的に接続する導電性クッション（図示略）が設けられている。
【００５１】
また、前記デジタル回路ブロック１２ａには前記デジタル回路制御用マイコン２０の実装面側に前記カードスロット２３が実装されており、このカードスロット２３を上部から覆うシールドケース３０の上蓋３０ａに冷却用ファン４４が設けられている。
【００５２】
また、前記回路基板１０の概ね左半分にはＡＶ回路ブロック１１ａが形成配置されており、他の電子機器と接続するジャック部２１から入力されたアナログ映像音声信号とデジタル映像音声信号から所定の映像音声信号を選択すると共に、これら信号の入出力を制御するＡＶ回路ブロック１１ａは前記デジタル回路ブロック１２ａとは同一回路基板１０上に形成されていることから、前記デジタル回路ブロック１２ａを包み込むように覆うシールドケース３０は、その上蓋３０ａの一部を切り欠いてこの回路基板１０を載置可能に形成している。
【００５３】
以上の実施例２により、このシールド構造を備えたデジタル放送受信装置たるデジタルテレビ１は、回路基板１０上に形成され、少なくともシールドケース３０に包み込まれたデジタル回路ブロック１２ａから輻射する電磁波ノイズは、グランドと電気的結合されたシールドケース３０によって効果的に遮蔽されるので、１枚の回路基板１０上にデジタル回路ブロック１２ａとアナログ回路ブロック１１ａが形成配置されることにより、デジタル回路ブロック１２ａに実装され電磁波ノイズを輻射するデジタル回路制御用マイコン２０やカードスロット２３、デジタルチューナ２２などの電子部品と近接して実装される種々の電子部品や、前記アナログ回路ブロック１１ａなどと相互に干渉することを防止することが出来る。
【００５４】
また、デジタル回路ブロック１２ａに実装された前記マイコン２０の表面に熱的結合された放熱部材４０と当接すると共に、前記シールドケース３０の内側とも当接する板バネ４１を、前記放熱部材４０と前記シールドケース３０との間に設けたことにより、前記マイコン２０の発熱はその表面に熱的結合された放熱部材４０と、放熱部材４０とシールドケース３０に当接する板バネ４１を介してシールドケース３０に伝導され、このシールドケース３０から外部に放熱することができるので、シールドケース３０内に熱が篭ることによって前記マイコン２０、及び他のデジタル回路を構成する電子部品が過熱して誤動作する、或いは故障してしまうことを未然に防止することが出来る。更に、前記板バネ４１は前記放熱部材４０とシールドケース３０との間に設けたものであり、デジタル回路ブロック１２ａ上に配置される前記マイコン２０などの位置を設計変更することが必要となった際も、板バネ４１の取り付け位置を変更するだけで良く、シールドケース３０を形成するプレス金型の改造や作り替えが必要となることはない。
【００５５】
図１２〜図１４は本考案の実施例３を示し、前記実施例１と同一部分には同一符号を示し、その詳細な説明は省略して詳述する。実施例１においては、デジタル回路基板１２に実装するマイコン２０の裏面側から覆うシールド板４３を設けた例を示したが、本実施例では、シールド板４３を省略し、シールドケース３０の下蓋３０ｂに一対の取付片５０を形成し、この取付片５０を放熱部材４０に固着した固定片４０ｂと接触させている。取付片５０は、放熱部材４０に対応して前記下蓋３０ｂに相対向して切り起こし形成され、前記デシタル回路基板１２には取付片５０の貫通孔５１が形成されている。この貫通孔５１は前記デジタル回路ブロック１２ａのグランドパターン１２ｂに形成され、貫通孔５１に放熱部材４０に固着した固定片４０ｂと下蓋３０ｂに切り起こし形成した取付片５０を貫通させ、これら固定片４０ｂと取付片５０とをグランドパターン１２ｂに半田付している。すなわち、本実施例においては、シールドケース３０の下蓋３０ｂにデジタル回路基板１２を組み付けながらデジタル回路基板１２に形成する貫通孔５１に下蓋３０ｂから切り起こした取付片５０を挿入することになる。そして、シールドケース３０の下蓋３０ｂにデジタル回路基板１２を組み付ける際、デジタル回路基板１２に実装する接続端子たるジャック部２１、デジタルチューナ２２をシールドケース３０の下蓋３０ｂに形成する部品挿通孔３８を挿通しながら下蓋３０ｂにデジタル回路基板１２を組み付けり。ここで、前記実施例１では、部品挿通孔３８へのジャック部２１、デジタルチューナ２２の挿通方向Ｘ１とデジタル回路基板１２に形成する貫通孔１２ｃの向きＸ２とが直交していたが、本実施例においては、前記実施例１と同じ、ジャック部２１、デジタルチューナ２２の挿通方向Ｘ１とデジタル回路基板１２に形成する貫通孔１２ｃの向きＸ２とが直交する貫通孔１２ｃと、ジャック部２１、デジタルチューナ２２の挿通方向Ｘ１に沿った向きＸ３の貫通孔５１とを形成している。そして、そのジャック部２１、デジタルチューナ２２の挿通方向Ｘ１に沿った貫通孔５１にデジタル回路基板１２に実装する放熱部材４０に固着した固定片４０ｂを挿入した状態で、下蓋３０ｂに形成する部品挿通孔３８にデジタル回路基板１２に実装するジャック部２１、デジタルチューナ２２に挿入しながら、貫通孔５１に下蓋３０ｂに形成する取付片５０を挿入する。この後、取付片５０と固定片４０ｂとをデジタル回路制御用マイコン２０のグランドパターン１２ｂに半田付けしてデジタル回路基板１２の放熱部材４０と下蓋３０ｂに形成した取付片５０とを固定片４０ｂを介して間接的に接触させる。これにより、シールドケース３０の下蓋３０ｂにデジタル回路基板１２が固定され、このように、下蓋３０ｂとデジタル回路基板１２とを固定した後、下蓋３０ｂに上蓋３０ａを組み付けることによって、デジタル回路基板１２をシールドケース３０で覆う。したがって、本実施例では、シールドケース３０の下蓋３０ａとデジタル回路基板１２とを一体化することから、前記各実施例のように、シールド板４３とシールドケース３０とを接続する導電性クッション４２を省略することができ、また、放熱部材４０とシールドケース３０とを接続する板バネ４１も省略している。
【００５６】
以上のように構成される本実施例においては、シールド板４３を省略し、下蓋３０ｂに切り起こし形成する取付片５０が固定片４０ｂを介して放熱部材４０と間接的に接触した状態でシールドケース３０の下蓋３０ｂにデジタル回路基板１２が固定される。これにより、シールド板４３及び該シールド板４３とシールドケース３０とを接続する導電性クッション４２を省略でき、また、放熱部材４０とシールドケース３０とを接続する板バネ４１も省略しているので部品点数を削減できる。このように、部品点数を削減することにより製造工程及び組み付け作業を簡略化でき、生産性にも優れる。また、下蓋３０ｂに切り起こし形成する取付片５０の貫通孔５１の向きＸ３をジャック部２１、デジタルチューナ２２の挿通方向Ｘ１に沿うように形成しているので、シールドケース３０の下蓋３０ｂにデジタル回路基板１２を組み付ける際、下蓋３０ｂに形成する部品挿通孔３８にデジタル回路基板１２に実装するジャック部２１、デジタルチューナ２２に挿入しながら、貫通孔５１に下蓋３０ｂに形成する取付片５０をスムーズに挿入することができ、組み付け作業性にも優れる。さらに、デジタル回路基板１２には、ジャック部２１、デジタルチューナ２２の挿通方向Ｘ１に対して直交する貫通孔１２ｃも設けられているから、シールド板４３を設ける場合とシールド板４３を省略する場合とでデジタル回路基板１２を共通化できるので汎用性にも優れる。また、デジタル回路基板１２に実装された前記デジタル回路制御用マイコン２０をシールドケース３０で覆うことにより、前記マイコン２０から輻射する電磁波ノイズをシールドケース３０から一体形成する取付片５０からグランドパターン１２ｂへと逃がし、さらに、グランドと電気的結合されたシールドケース３０により遮蔽することで、グランドに逃すことが出来き、優れたシールド効果を発揮することができる。
【００５７】
以上、本実施例を詳述したが、本考案の要旨の範囲内で種々の変形実施が可能である。例えば、シールド構造を備えたデジタル放送受信装置たるデジタルテレビ１は、デジタル放送を受信して表示するだけのデジタルテレビ１に限定されるものではなく、デジタルテレビ１にＤＶＤ装置やＨＤＤ装置を内蔵した複合装置であってもよく、また、電磁波ノイズを輻射し、且つ、熱を発する電子部品は前記デジタル回路制御用マイコン２０に限らず、動画信号や音声信号を圧縮解凍する、一般にＭＰＥＧ  ＩＣなどと称される半導体などでもよく、また、これらデジタル回路制御用マイコン２０やＭＰＥＧ  ＩＣなどを実装する回路基板１０を載置するＤＶＤ装置やＨＤＤ装置、及びこれらの複合機など、電磁波シールドと放熱を必要とする電子機器などを適宜選定すればよい。また、実施例３において、シールドケース３０に形成した取付片５０と放熱部材４０とを放熱部材４０に固着した固定片４０ｂを介して間接的に接触させた例を示したが、シールドケース３０に形成した取付片５０を放熱部材４０に直接的に接触させるように構成してもよい。
【産業上の利用可能性】
【００５８】
電磁波ノイズを輻射する電子部品が実装された回路基板の電磁波シールドに関し、特に電磁波ノイズを輻射する電子部品から発する熱を放熱することが不可欠な用途に適用出来る。
【図面の簡単な説明】
【００５９】
【図１】本考案の第１実施例におけるデジタルテレビの概観を示す斜視図である。
【図２】同上、フロントキャビネットとバックキャビネットの一部を切り欠いた状態のデジタルテレビを示す平面図である。
【図３】同上、デジタルテレビに備えられるシールドケースの上蓋を示す斜視説明図である。
【図４】同上、シールドケースの上蓋を示す断面説明図である。
【図５】同上、デジタルテレビに備えられるシールドケースの下蓋を示す斜視説明図である。
【図６】同上、シールドケースの下蓋にデジタル回路制御用マイコンとカードスロットを実装したデジタル回路基板を配置した状態を示す説明図である。
【図７】同上、デジタル回路制御用マイコンを実装したデジタル回路基板の裏面にシールド板とシールド片を取り付けた状態を示す説明図。
【図８】同上、放熱部材部分の断面図である。
【図９】同上、上蓋と、下蓋からなるシールドケースとデジタル回路基板を示す分解斜視図である。
【図１０】同上、デジタル回路制御用マイコンとカードスロットを実装したデジタル回路基板を収容したシールドケースを示す斜視説明図である。
【図１１】本考案の第２実施例におけるデジタルテレビの回路基板と、シールドケースの一部を取り除いた状態の要部を示す説明図である。
【図１２】本考案の第３実施例におけるシールドケースの分解斜視図である。
【図１３】同上、シールドケースの下蓋にデジタル回路制御用マイコンとカードスロットを実装したデジタル回路基板を配置した状態を示す説明図である。
【図１４】同上、放熱部材部分の断面図である。
【符号の説明】
【００６０】
１          デジタルテレビ
１０        回路基板
１２        デジタル回路基板
１２ａ      デジタル回路ブロック
１２ｂ      グランドパターン
１２ｃ，５１  貫通孔
２０        デジタル回路制御部（デジタル回路制御用マイコン）
２１        ジャック部（接続端子）
２２        デジタルチューナ（接続端子）
２３        カードスロット
３０        シールドケース
４０        放熱部材
４０ｂ      固定片（導電性部材）
４１        放熱片（板バネ）
４２        シールド片（導電性クッション）
４３        シールド板
４４        冷却用ファン
Ｘ１        接続端子の挿通方向
Ｘ２，Ｘ３  貫通孔の向き
【図１】
0003113691.tif 000003
【図２】
0003113691.tif 000004
【図３】
0003113691.tif 000005
【図４】
0003113691.tif 000006
【図５】
0003113691.tif 000007
【図６】
0003113691.tif 000008
【図７】
0003113691.tif 000009
【図８】
0003113691.tif 000010
【図９】
0003113691.tif 000011
【図１０】
0003113691.tif 000012
【図１１】
0003113691.tif 000013
【図１２】
0003113691.tif 000014
【図１３】
0003113691.tif 000015
【図１４】
0003113691.tif 000016